(57)【要約】【課題】デジタルカメラは最適な撮影条件を高速に決定し、決定した最適条件を用いて撮影を高速に行なう。【解決手段】ＣＣＤ１０２は、撮影条件を多少変化させてた複数のビューファインダ画像を撮影する。撮影条件の内の露出を少しづつ変えて複数のビューファインダ画像を取得する。画像処理部１１０において、取得した複数のビューファインダ画像を輝度ヒストグラムを用いて解析し、カメラ撮影時の最適露出を決定する。ビューファインダ画像を用いて撮影時の最適露出を決定するため、カメラ撮影を高速、かつ最適条件で実行することが可能になる。シャッタチャンスを逃すことも防止できる。【選択図】      図１
2006129048.tif 000002
【特許請求の範囲】
【請求項１】
液晶モニタに表示する各構図確認用画像を複数の異なる撮影条件のもとで撮影する構図確認用画像撮影手段と、
前記構図確認用画像撮影手段によって撮影された各構図確認用画像に基づいて、静止画撮影に最適な条件を解析する構図確認用画像解析手段と、
前記最適条件を撮影条件として設定する撮影条件設定手段と
を備えていることを特徴とするデジタルカメラ。
【請求項２】
請求項１記載のデジタルカメラにおいて、
前記複数の異なる撮影条件は、露出を段階的に変化させた撮影であることを特徴とするデジタルカメラ。
【請求項３】
請求項２記載のデジタルカメラにおいて、
前記構図確認用画像撮影手段は、レリーズ釦が半押しされたとき、前記各構図確認用画像を前記複数の異なる撮影条件で撮影することを特徴とするデジタルカメラ。
【請求項４】
請求項３記載のデジタルカメラにおいて、
レリーズ釦が全押しされたとき、前記撮影条件設定手段が設定した前記最適条件で静止画像を撮影することを特徴とするデジタルカメラ。
【請求項５】
液晶モニタに表示する各構図確認用画像を複数の異なる撮影条件のもとで撮影する構図確認用画像撮影手段と、
前記構図確認用画像撮影手段によって撮影された各構図確認用画像に基づいて、静止画の撮影条件を各々解析する構図確認用画像解析手段と、
前記構図確認用画像解析手段による各解析結果を記録する記録手段と、
前記記録された前記各解析結果に基づいて、前記静止画撮影に最適な撮影条件を検出する最適撮影画像検出手段と
を備えていることを特徴とするデジタルカメラ。
【請求項６】
撮影に先行して液晶モニタに表示する複数の構図確認用画像を解析する構図確認用画像解析手段と、
前記構図確認用画像解析手段の解析結果に基づいて、静止画の撮影に最適な条件を検出する最適撮影画像検出手段と
を備えていることを特徴とするデジタルカメラ。
【発明の詳細な説明】
【技術分野】
【０００１】
本発明は、デジタルカメラの撮影時における露出等の最適条件を短時間で決定し、撮影を高速に行うのに適したデジタルカメラに関する。
【背景技術】
【０００２】
従来のデジタルカメラでは、例えば、主要被写体の輝度レベルが適性値になるように、露出を制御している。
しかし、主要被写体の輝度レベルが適性値になるように露出を制御すると、主要被写体以外の部分の輝度バラツキに起因し、輝度が高すぎて画像が白くなる白とびや、逆に輝度が低すぎて画面が黒くなる黒つぶれが発生する。
【０００３】
画像に生じる白とびや黒つぶれを防止するため、デジタルカメラが自動的に露出を変えながら複数コマを撮影し、撮影者が選択した画像をメモリカードへ記録するブラケット撮影と呼ばれる技術がある（特許文献１参照）。
また、画像に生じる白とびや黒つぶれを防止するため、デジタルカメラが自動的に露出を変えながら複数コマを撮影し、デジタルカメラが自動的に白とびや黒つぶれの少ない画像を選択し、メモリカードへ記録するＡＥ−ＢＳＳ（ベストショットセレクタ）と呼ばれる技術がある（特許文献２参照）。
【特許文献１】特開２００１−２８５７７９号公報（段落番号００５１〜００５６）
【特許文献２】特開２００２−２４７５１８号公報
【発明の開示】
【発明が解決しようとする課題】
【０００４】
前記したブラケット撮影及びＡＥ−ＢＳＳは、デジタルカメラが実際に複数コマの撮影を実行するため、撮影に多大の時間がかかる。そのため、シャッタチャンスを逃してしまうという問題点がある。
本発明の目的は、デジタルカメラが高速で最適な撮影条件を決定し、決定した最適条件により撮影を高速に行うようにしたデジタルカメラを提供することにある。
【課題を解決するための手段】
【０００５】
請求項１記載の発明は、液晶モニタに表示する各構図確認用画像を複数の異なる撮影条件のもとで撮影する構図確認用画像撮影手段と、構図確認用画像撮影手段によって撮影された各構図確認用画像に基づいて、静止画撮影に最適な条件を解析する構図確認用画像解析手段と、最適条件を撮影条件として設定する撮影条件設定手段とを備えていることを特徴とする。
【０００６】
請求項２記載の発明は、請求項１記載のデジタルカメラにおいて、複数の異なる撮影条件は、露出を段階的に変化させた撮影であることを特徴とする。
請求項３記載の発明は、請求項２記載のデジタルカメラにおいて、構図確認用画像撮影手段は、レリーズ釦が半押しされたとき、各構図確認用画像を複数の異なる撮影条件で撮影することを特徴とする。
【０００７】
請求項４記載の発明は、請求項３記載のデジタルカメラにおいて、レリーズ釦が全押しされたとき、撮影条件設定手段が設定した最適条件で静止画像を撮影することを特徴とする。
請求項５記載の発明は、液晶モニタに表示する各構図確認用画像を複数の異なる撮影条件のもとで撮影する構図確認用画像撮影手段と、構図確認用画像撮影手段によって撮影された各構図確認用画像に基づいて、静止画の撮影条件を各々解析する構図確認用画像解析手段と、構図確認用画像解析手段による各解析結果を記録する記録手段と、記録された各解析結果に基づいて、静止画撮影に最適な撮影条件を検出する最適撮影画像検出手段とを備えていることを特徴とする。
【０００８】
請求項６記載の発明は、撮影に先行して液晶モニタに表示する複数の構図確認用画像を解析する構図確認用画像解析手段と、構図確認用画像解析手段の解析結果に基づいて、静止画撮影に最適な条件を検出する最適撮影画像検出手段とを備えていることを特徴とする。
【発明の効果】
【０００９】
本発明によれば、撮影に先んじて、構図確認用画像（ビューファインダ画像）の露出等の撮影条件を少しづつ変えて複数の構図確認用画像を取得し、取得した複数の構図確認用画像を用いて静止画撮影時の最適条件を決定するため、静止画の撮影を高速に、しかも最適条件で行うことが可能になる。したがって、シャッタチャンスを逃すことが防止できる。
【発明を実施するための最良の形態】
【００１０】
以下、図面を用いて本発明の実施の形態を説明する。
＜本実施形態の構成＞
図１は、本実施形態のデジタルカメラのブロック図である。なお、本実施形態は、請求項１〜６に記載の発明に対応する。
図１に示すように、デジタルカメラ１００は、撮影レンズ１０１と、ＣＣＤ（撮像素子）１０２と、アナログ信号処理部１０３と、Ａ／Ｄ変換部１０４と、タイミングジェネレータ１０５と、焦点調整モータ１０６と、ＭＰＵ（Micro Processor Unit）１０７と、操作部１０８と、バス１０９と、画像処理部１１０と、画像メモリ（ＲＡＭ）１１１と、プログラムメモリ（ＲＯＭ）１１２と、カードインタフェース１１３と、着脱自在なメモリカード（記録媒体）１１４と、モニタ制御部１１５と、液晶モニタ（Liquid Crystal Display）１１６とから構成されている。
＜本実施形態の動作＞
撮影レンズ１０１は、被写体像をＣＣＤ１０２上に結像する。ＣＣＤ１０２は、被写体像を画素ごとにアナグロ信号に変換する。アナログ信号処理部１０３は、ＣＣＤ１０２から出力されるアナグロ信号に、クランプ処理、感度補正処理等を施す。Ａ／Ｄ変換部１０４は、アナログの画像データをデジタルの画像データに変換する。タイミングジェネレータ１０５は、ＭＰＵ１０７からの指示に基づいてＡＥ動作を行うためにシャッタスピード等を制御する。焦点調整モータ１０６は、ＭＰＵ１０７の指示に基づいて、撮影レンズ１０１を光軸方向（図示せず）に移動し、ＡＦ動作を行う。ＭＰＵ１０７は、デジタルカメラ１００のシステム全体の制御を行う。操作部１０８は、電源釦、レリーズ釦などの設定用の釦群を備えている（図示せず）。画像処理部１１０は、後述するように、ＡＥ判定を含む画像解析等を行う。画像メモリ（ＲＡＭ）１１１は、ビューファインダ画像や撮影画像を一時記録する。プログラムメモリ１１２は、ＭＰＵ１０７の動作プログラムを格納している。カードインタフェース１１３は、メモリカード１１４とバス１０９の通信を制御する。モニタ制御部１１５は、液晶モニタ１１６の抽画を制御する。
【００１１】
請求項との対応関係について、説明する。
請求項に記載する構図確認用画像撮影手段は、撮影レンズ１０１、ＣＣＤ１０２、アナログ信号処理部１０３、Ａ／Ｄ変換部１０４、タイミングジェネレータ１０５、焦点調整モータ１０６、ＭＰＵ１０７、画像処理部１１０、画像メモリ１１１、プログラムメモリ１１２と、モニタ制御部１１５と、液晶モニタ１１６等が相当する。
【００１２】
請求項に記載する構図確認用画像解析手段は、ＭＰＵ１０７、画像処理部１１０、画像メモリ１１１、プログラムメモリ１１２等が相当する。
請求項に記載する撮影条件設定手段は、タイミングジェネレータ１０５、ＭＰＵ１０７、画像処理部１１０、画像メモリ１１１、プログラムメモリ１１２等が相当する。
請求項に記載する記録手段は、ＭＰＵ１０７等が相当する。
【００１３】
請求項に記載する最適撮影画像検出手段は、ＭＰＵ１０７、画像処理部１１０、画像メモリ１１１、プログラムメモリ１１２等が相当する。
次に、図１に示すデジタルカメラ１００の動作の概略について、図２に示すフローチャートを用いて説明する。
ステップＳ１において、操作部１０８に設けられている電源釦をオンする。
【００１４】
ステップＳ２において、電源オンに伴う処理として、デジタルカメラ１００のリセット処理、撮影準備等を行う。
ステップＳ３において、モニタ制御部１１５を動作させ、液晶モニタ１１６をオンする。
ステップＳ４において、液晶モニタ１１６にビューファインダ画像を表示する。ビューファインダ画像を表示する手順は、公知であるので説明を省略する。
【００１５】
ステップＳ５において、ＭＰＵ１０７は、画像処理部１１０の露出に関する画像解析結果（被写体輝度）に基づいて露出を定める。次に、ＭＰＵ１０７は、タイミングジェネレータ１０５を動作させ、シャッタスピードを制御する。これによって、ＡＥ処理が行われて露出が定まる。
ステップＳ６において、ＭＰＵ１０７は、画像処理部１１０のオートフォーカスに関する画像解析結果に基づいて、焦点調整モータ１０６を動作させる。焦点調整モータ１０６は撮影レンズ１０１を移動し、ＡＦ処理を行う。
【００１６】
ステップＳ７において、ＭＰＵ１０７は操作部１０８のレリーズ釦が半押しされたか否かを判定する。半押しされていないと判定された場合には、ステップＳ８に進む。ステップＳ８において、ＭＰＵ１０７は電源釦がオフされたか否かを判定する。電源がオフされていないと判定された場合には、ステップＳ５に戻り、ステップＳ５〜Ｓ７の処理を繰り返す。電源がオフされたと判定された場合には、ステップＳ８において液晶モニタ１１６をオフし、ステップＳ１０で電源オフの処理を行ない、全ての処理を終了する。
【００１７】
ステップＳ７において、半押しされたと判定された場合には、ステップＳ１１に進む。
ステップＳ１１において、ＭＰＵ１０７は、レリーズ釦が半押しされたときの合焦状態を維持するためＡＦロックを行う。
ステップＳ１２において、ステップＳ５と同様の手順でＡＥ処理を行ない、露出を定める。
【００１８】
次に、ステップＳ１３において、ＭＰＵ１０７はステップＳ１２において定めた露出を＋２だけ補正する。露出補正は、タイミングジェネレータ１０５がシャッタスピードを制御することによって行う。
ステップＳ１４において、補正量＋２で得られたビューファインダ画像（モニタ画像）ｉｍ１について、画像処理部１１０で露出（被写体輝度）の解析をするとともに、画像処理部１１０に格納し、液晶モニタ１１６に表示する。
【００１９】
次に、ステップＳ１５において、ＭＰＵ１０７はステップＳ１２において定めた露出を＋１だけ補正する。
ステップＳ１６において、補正量＋１で得られたビューファインダ画像（モニタ画像）ｉｍ２について、画像処理部１１０で露出（被写体輝度）の解析をするとともに、画像処理部１１０に格納し、液晶モニタ１１６に表示する。
【００２０】
次に、ステップＳ１７において、ＭＰＵ１０７はステップＳ１２において定めた露出（補正量±０）に戻す処理を行う。
ステップＳ１８において、補正量±０で得られたビューファインダ画像（モニタ画像）ｉｍ３について、画像処理部１１０で露出（被写体輝度）の解析をするとともに、画像処理部１１０に格納し、液晶モニタ１１６に表示する。
【００２１】
ステップＳ１９において、ＭＰＵ１０７はステップＳ１２において定めた露出を−１だけ補正する。
ステップＳ２０において、補正量−１で得られたビューファインダ画像（モニタ画像）ｉｍ４について、画像処理部１１０で露出（被写体輝度）の解析をするとともに、画像処理部１１０に格納し、液晶モニタ１１６に表示する。
【００２２】
ステップＳ２１において、ＭＰＵ１０７はステップＳ１２において定めた露出を−２だけ補正する。
ステップＳ２２において、補正量−２で得られたビューファインダ画像（モニタ画像）ｉｍ５について、画像処理部１１０で露出（被写体輝度）の解析をするとともに、画像処理部１１０に格納し、液晶モニタ１１６に表示する。
【００２３】
ステップＳ２３において、ＭＰＵ１０７は、補正量が＋２〜−２の間で得られた５つのビューファインダ画像ｉｍ１〜ｉｍ５について、後述する手法によって露出レベルの評価を行う。
ステップＳ２４において、ＭＰＵ１０７は、ステップＳ２３において行われた露出レベルの評価に基づいて、最適露出画像の露出条件を撮影露出として設定する。
【００２４】
ステップＳ２５において、ＭＰＵ１０７は、レリーズ釦が全押しされているか否かを判定する。全押しされていないと判定された場合には、ステップＳ２６に進む。ステップＳ２６において、ＭＰＵ１０７は、レリーズ釦が半押しされているか否かを判定する。半押しされていると判定された場合には、ステップＳ２５に戻り、半押しされていないと判定された場合には、ステップＳ５に戻る。
【００２５】
ステップＳ２５において、ＭＰＵ１０７が、レリーズ釦が全押しされていると判定された場合、ステップＳ２７において撮影が実行される。
ステップＳ２８において、撮影画像を液晶モニタ１１６に表示する。
ステップＳ２９において、撮影画像をカードインタフェース１１３を介してメモリカード１１４に格納する。
【００２６】
続いて、ステップＳ３０において、ＭＰＵ１０７は、レリーズ釦が全押しされているか否かを判定する。全押しされていると判定された場合には、再びステップＳ３０に戻る。全押しされていないと判定された場合には、ステップＳ３１に進む。
ステップＳ３１において、ＭＰＵ１０７は、レリーズ釦が半押しされているか否かを判定する。半押しされていると判定された場合にはステップＳ３１に戻り、レリーズ釦が半押しされていないと判定された場合、ステップＳ３２に進む。ここで、ステップＳ３０、Ｓ３１における処理は、レリーズ釦が完全に撮影者の指から離れたか否かを判定するものである。
【００２７】
ステップＳ３２では、レリーズ釦が完全に撮影者の指から離れているので、ＣＣＤ１０２が撮像しているビューファインダ画像を液晶モニタ１１６に表示し、ステップＳ５に戻る。
以上の説明において、ＭＰＵ１０７は、５つのビューファインダ画像ｉｍ１〜ｉｍ５について、露出レベルの評価を行ない、撮影に最適な露出を求めた。
【００２８】
ここで、例えば、白とびが多い画像の場合には、白とび抑制モードとして、白とびの少ない画像の中から、最も露出補正値の高い画像を選択し、選択した画像の露出補正値を用いて適性露出を算出して、撮影するようにしてもよい。
また、黒つぶれが多い画像の場合には、黒つぶれ抑制モードとして、黒つぶれの少ない画像の中から、最も露出補正値の低い画像を選択し、選択した画像の露出補正値を用いて適性露出を算出して、撮影するようにしてもよい。
【００２９】
さらに、操作部１０８に前記白とび抑制モードと黒つぶれ抑制モードを選択する選択釦を設けてもよい。
また、以上の説明においては、５つのビューファインダ画像ｉｍ１〜ｉｍ５について、露出レベルの評価を行ない、撮影に最適な露出を求めた。しかし、露出を変えて参照するビューファインダ画像の数は任意でよい。
【００３０】
次に、図３を用いて、ステップＳ２３に示す露出レベルの評価について説明する。図３は、横軸が階調、縦軸が頻度（被写体輝度）を示すヒストグラムである。
図３（ａ）は、前記した補正量＋２（ｉｍ１）の場合のヒストグラムである。このヒストグラムから明らかなように、階調２５５付近に輝度の非常に高い部分があり、白とびが非常に多い。
【００３１】
図３（ｂ）は、前記した補正量＋１（ｉｍ２）の場合のヒストグラムである。階調２５５付近に輝度の高い部分があり、白とびが多い。
図３（ｃ）は、前記した補正量±０（ｉｍ３）の場合のヒストグラムである。階調２５５付近の輝度は低くなっている。しかし、まだ階調２５５付近に輝度の高い部分がある。
図３（ｄ）は、前記した補正量−１（ｉｍ４）の場合のヒストグラムである。階調２５５付近の輝度は極めて低くなっており、階調の低い方になだらかな山型がある。
【００３２】
図３（ｅ）は、前記した補正量−２（ｉｍ５）の場合のヒストグラムである。階調２５５付近の輝度は極めて低くなっており、階調の低い方に山型ができている。
図３（ａ）（ｂ）（ｃ）（ｄ）（ｅ）に示すヒストグラムを比較すると、図３（ｄ）に示す補正量−１が最適な露出レベルであることがわかる。したがって、ステップＳ２４において、ＭＰＵ１０７は、最適露出条件を補正量−１であると算出し、撮影時の露出を設定する。なお、前記したステップＳ２３の処理は、ＭＰＵ１０７の指令に基づいて、画像処理部１１０において行われる。
【００３３】
なお、図３においては、白とびを例にして説明したが、黒つぶれの画像についても白とびの場合と同様に露出レベルの評価を行うことができる。黒つぶれの場合には、ヒストグラムにおいて、階調が０の付近に輝度の非常に高い部分がある。そして、図３（ａ）（ｂ）（ｃ）（ｄ）（ｅ）に示す白とびのヒストグラムと比較して、左右が入れ替わった形のヒストグラムが得られる。ＭＰＵ１０７は、このヒストグラムから、最適露出画像の露出条件を算出し、撮影に最適な露出を設定する。
【００３４】
図４は、前記した最適露出画像の露出条件の算出を実行する第１のタイムチャートを示す図である。
図４において、横軸に示す「Ｖ」はビデオ信号の出力タイミングを示す。図４に示すように、最初にビデオ信号０Ｖのタイミングにおいて、レリーズ釦が半押しされる。これによって、補正量が＋２であるビューファインダ画像ｉｍ１の撮影１が開始する。
【００３５】
次に、ビデオ信号１Ｖのタイミングにおいて、ＣＣＤ１０２によるビューファインダ画像ｉｍ１の撮影１が終了し、画像データを読み込む読込２が開始する。
次に、ビデオ信号２Ｖのタイミングにおいて、画像データの読込２が終了し、画像処理部１１０においてビューファインダ画像ｉｍ１を画像処理する画像処理１が開始する。
次に、ビデオ信号３Ｖのタイミングにおいて、ビューファインダ画像ｉｍ１の液晶モニタ１１６における表示とビューファインダ画像ｉｍ１を解析する解析１が行われる。
【００３６】
次に、ビデオ信号４Ｖのタイミングにおいて、ビューファインダ画像ｉｍ１の液晶モニタ１１６における表示とビューファインダ画像ｉｍ１の解析１が終了し、補正量が＋１であるビューファインダ画像ｉｍ２の撮影２が開始する。以後、ビューファインダ画像ｉｍ２について、ビデオ信号４Ｖ〜８Ｖのタイミングにおいて、ビデオ信号１Ｖ〜４Ｖのタイミングにおけるビューファインダ画像ｉｍ１と同様の処理が行われる。
【００３７】
さらに、図示を一部省略しているが、ビデオ信号８Ｖ〜１２Ｖのタイミングにおいてビューファインダ画像ｉｍ３、ビデオ信号１２Ｖ〜１６Ｖのタイミングにおいてビューファインダ画像ｉｍ４、ビデオ信号１６Ｖ〜２０Ｖのタイミングにおいてビューファインダ画像ｉｍ５の各々について、ビデオ信号１Ｖ〜４Ｖのタイミングにおけるビューファインダ画像ｉｍ１と同様の処理が行われる。
【００３８】
その後、解析１〜解析５の結果に基づいて、最適露出が決定される。そして、ビデオ信号２０Ｖ以降のタイミングにおける撮影６、撮影７、撮影８…において、前記した最適な露出を反映したビューファインダ画像の撮影が行われ、さらにレリーズ釦が全押しされたとき、デジタルカメラとしての実際の撮影が最適露出のもとで実行される。
なお、図４においては、撮影１〜撮影５に関連する処理だけを示したが、図５に示すように、実際にはビデオ信号１Ｖ、２Ｖ、３Ｖの各タイミングにおいて、撮影１ａ、１ｂ、１ｃ…、読込１ａ、１ｂ、１ｃ…、画像処理１ａ、１ｂ、１ｃ…、表示１ａ、１ｂ、１ｃ…等が各々並列に実行されている。
【００３９】
図６は、最適露出画像の露出条件の算出を実行する第２のタイムチャートを示す図である。図６においては、撮影１〜撮影５が連続して実行される。その結果、図示するように、読込１〜読込５、画像処理１〜画像処理５、表示１〜表示５、記録１〜記録５が各々並行して実行される。ここで、記録とは、画像処理部１１０や画像メモリ１１１にビューファインダ画像ｉｍ１〜ｉｍ５を格納することを意味する。そして、記録５が行われた後、ビューファインダ画像ｉｍ１〜ｉｍ５の解析が画像処理部１１０においてまとめて実行され、最適露出条件が決定される。そして、撮影６以降の撮影において、最適露出条件が反映される。また、レリーズ釦が全押しされたとき、デジタルカメラとしての実際の撮影が最適露出のもとで実行される。
【００４０】
以上の説明から明らかなように、本実施形態によれば、ビューファインダ画像の露出を変化させて複数のビューファインダ画像を取得し、取得した複数のビューファインダ画像を用いてカメラ撮影時の最適条件を決定するため、カメラ撮影を高速に、しかも最適な露出条件において行うことが可能になる。
＜実施形態の付記事項＞
なお、以上の実施形態においては、ＭＰＵ１０７はタイミングジェネレータ１０５を動作させ、シャッタスピードを制御することにより、ＡＥ処理を行って露出を定めた（ステップＳ５参照）。しかし、本発明はこれに限定されるものではなく、ＭＰＵ１０７は画像処理部１１０の露出に関する画像解析結果（被写体輝度）に基づいて、図示しない絞りを動作させて、露出を決定しもよい。さらに、デジタル式１眼レフカメラのように、フォーカルプレーンシャッタのシャッタスピードと絞りの両方を制御して、露出を決定してもよい。
【００４１】
また、以上の説明においては、露出を変化させた複数のビューファインダ画像から最適露出を決定した。しかし、本発明はこれに限定されるものではなく、例えば色温度を変化させることによりホワイトバランスを変化させ、ホワイトバランスが変化している複数のビューファインダ画像を取得する。これにより、最適なホワイトバランスを決定することができるので、最適なホワイトバランスのもとで高速に撮影を行うことが可能になる。
【産業上の利用可能性】
【００４２】
本発明は、デジタルカメラの分野において大いに利用することが可能である。
【図面の簡単な説明】
【００４３】
【図１】本実施形態のデジタルカメラのブロック図である。
【図２】図１に示すデジタルカメラの動作の概略を示すフローチャートである。
【図３】ステップＳ２３に示す露出レベルの評価方を説明するためのヒストグラムである。
【図４】最適露出画像の露出条件の算出を実行する第１のタイムチャートである。
【図５】図４に示す第１のタイムチャートを補足説明するためのタイムチャートである。
【図６】最適露出画像の露出条件の算出を実行する第２のタイムチャートである。
【符号の説明】
【００４４】
１００  デジタルカメラ
１０１  撮影レンズ
１０２  ＣＣＤ
１０３  アナログ信号処理部
１０４  Ａ／Ｄ変換部
１０５  タイミングジェネレータ
１０６  焦点調整モータ
１０７  ＭＰＵ
１０８  操作部
１０９  バス
１１０  画像処理部
１１１  画像メモリ（ＲＡＭ）
１１２  プログラムメモリ（ＲＯＭ）
１１３  カードインタフェース
１１４  メモリカード
１１５  モニタ制御部
１１６  液晶モニタ                                                                                
【図１】
2006129048.tif 000003
【図２】
2006129048.tif 000004
【図３】
2006129048.tif 000005
【図４】
2006129048.tif 000006
【図５】
2006129048.tif 000007
【図６】
2006129048.tif 000008